(57)【要約】【課題】簡易な構成でありながら、軸受の早期剥離損傷を防止することが可能なヒートポンプ圧縮機を提供する。【解決手段】回転軸５を支持する複数の軸受１０は、増速機構７を挟んで軸方向両側に設けられた固定側軸受１１及び自由側軸受１３を有する。固定側軸受１１は、互いに内輪間座１９ａ，１９ｂ及び外輪間座２０ａ，２０ｂを介して隣り合う３個のアンギュラ玉軸受１１ａ，１１ｂ，１１ｃを有し、３個のアンギュラ玉軸受１１ａ，１１ｂ，１１ｃのうち、増速機構７側に隣り合う２個のアンギュラ玉軸受１１ａ，１１ｂは並列組合せであり、他方側に隣り合う２個のアンギュラ玉軸受１１ｂ，１１ｃは背面組合せである。並列組合せの２個のアンギュラ玉軸受１１ａ，１１ｂの間において、外輪間座２０ａの軸方向幅Ｌは、内輪間座１９ａの軸方向幅Ｍよりも小さい。【選択図】図１
2015151998.tif 000002
【特許請求の範囲】
【請求項１】
複数の軸受によって回転自在に支持された回転軸を増速機構で増速回転させて、前記回転軸に取り付けられた羽根車を増速回転させるヒートポンプ圧縮機であって、
複数の前記軸受は、前記増速機構を挟んで軸方向両側に設けられた固定側軸受及び自由側軸受を有し、
前記固定側軸受は、互いに内輪間座及び外輪間座を介して隣り合う３個のアンギュラ玉軸受を有し、
３個の前記アンギュラ玉軸受のうち、前記増速機構側に隣り合う２個は並列組合せであり、他方側に隣り合う２個は背面組合せであり、
並列組合せの２個の前記アンギュラ玉軸受の間において、前記外輪間座の軸方向幅は、前記内輪間座の軸方向幅よりも小さいことを特徴とするヒートポンプ圧縮機。
【発明の詳細な説明】
【技術分野】
【０００１】
本発明はヒートポンプ圧縮機に関する。
【背景技術】
【０００２】
例えばビルや工場などには、比較的大容量の熱交換システムが構築されており、かかる熱交換システムには、各種のヒートポンプ圧縮機が組み込まれている。例えば図２に示すようなヒートポンプ圧縮機１において、羽根車（インペラ）３が取り付けられた回転軸５は、複数の軸受１０により回転自在に支持されている。
【０００３】
回転軸５は、増速機構７を介して、不図示のモータの出力軸に連結されている。増速機構７は、回転軸５に設けられたギヤ７ａと、モータの出力軸に設けられ、上記ギヤ７ａと噛合するギヤ（不図示）と、からなる。なお、回転軸５のギヤ７ａは、モータの出力軸のギヤよりも小径である。
【０００４】
複数の軸受１０は、増速機構７を挟んで軸方向両側に設けられた固定側軸受１１及び自由側軸受１３を有する。ここで、固定側軸受１１は、ラジアル荷重と共にアキシアル荷重も負荷（支持）できるように構成された軸受を指し、例えば回転軸５をアキシアル方向に位置決め固定するために用いられる。また、自由側軸受１３は、ラジアル荷重のみを負荷（支持）するように構成された軸受を指し、例えば温度変化による回転軸５の膨張・収縮を逃がしたり、回転軸５のアキシアル方向の固定位置を調整するために用いられる。
【０００５】
固定側軸受１１は、３個のアンギュラ玉軸受１１ａ，１１ｂ，１１ｃを有しており、そのうちの増速機構７側に隣り合う２個のアンギュラ玉軸受１１ａ，１１ｂを並列組合せ（ＤＴ）とし、他方側（羽根車３側）に隣り合う２つのアンギュラ玉軸受１１ｂ，１１ｃを背面組合せ（ＤＢ）として配置している。また、自由側軸受１３は、増速機構７側から２個のアンギュラ玉軸受１３ａ，１３ｂを有しており、これらを背面組合せ（ＤＢ）として配置している。
【０００６】
これらのアンギュラ玉軸受１１ａ，１１ｂ，１１ｃ，１３ａ，１３ｂは、それぞれ、内輪１５と、外輪１６と、内輪１５及び外輪１６の間に配置された複数の玉１７と、複数の玉１７を転動自在に保持する保持器１８と、を有する。
【０００７】
また、固定側軸受１１を構成する３個のアンギュラ玉軸受１１ａ，１１ｂ，１１ｃは、互いに内輪間座１９ａ、１９ｂ及び外輪間座２０ａ，２０ｂを介して隣り合い、自由側軸受１３を構成する２個のアンギュラ玉軸受１３ａ，１３ｂは、互いに内輪間座１９ｃ及び外輪間座２０ｃを介して隣り合う。外輪間座２０ａ，２０ｂ，２０ｃには、その外周面と、外輪間座２０ａ，２０ｂ，２０ｃと内輪間座１９ａ，１９ｂ，１９ｃとの間の空間と、を連通し、潤滑油を供給可能な潤滑油孔２１が設けられる。
【０００８】
このようなヒートポンプ圧縮機１を組み込んだ熱交換システムによれば、モータの回転運動が出力軸から増速機構７を介して回転軸５に伝達されると、回転軸５と共に羽根車３が増速回転して冷媒を圧縮する。このとき、圧縮されて高温・高圧状態となった冷媒を、凝縮器（熱交換器）を介して水と熱交換させることで、暖められた水が暖房用として使用される。また、熱交換された冷媒は凝縮器を経た後、膨張器で膨張される。このとき、膨張して低温・低圧状態となった冷媒を、蒸発器（熱交換器）を介して水と熱交換させることで、冷やされた水が冷房用として使用される。そして、蒸発器を経た冷媒は、再び羽根車３で圧縮されるといったサイクルが繰り返される。
【０００９】
また、固定側軸受１１を構成する３個のアンギュラ玉軸受１１ａ，１１ｂ，１１ｃのうち、増速機構７から羽根車３に向かう方向（図中Ａ方向）の荷重は、増速機構７側の２個のアンギュラ玉軸受１１ａ，１１ｂで負荷し、羽根車３から増速機構７に向かう方向（図中Ｂ方向）の荷重は、他方側（羽根車３側）の１個のアンギュラ玉軸受１１ｃで負荷する。
【００１０】
ここで、増速機構７側の２個のアンギュラ玉軸受１１ａ，１１ｂが均等に荷重を受けるために、内輪１５，１５と内輪間座１９との間の軸方向隙間、及び外輪１６，１６と外輪間座２０との間の軸方向隙間は、通常ゼロとなるように設定される。すなわち、これら２個のアンギュラ玉軸受１１ａ，１１ｂの間において、内輪間座１９及び外輪間座２０の軸方向幅が同一となるように設定される。
【００１１】
しかしながら、このようなヒートポンプ圧縮機１では、増速機構７のギヤ７ａからの入熱により、当該ギヤ７ａに最も近いアンギュラ玉軸受１１ａの内輪１５の温度が上昇し、内輪１５と外輪１６との温度差が増大する。この場合、アンギュラ玉軸受１１ａの内部隙間が極端に小さくなり、内部荷重が増大し、早期剥離損傷を引き起こす虞がある。
【００１２】
なお、特許文献１には、並列組合せ軸受において、荷重負荷の偏りを防止するための技術として、外輪間座が、熱伝導率の小さい第１の外輪間座と、熱伝導率の大きい第２の外輪間座と、を軸線方向に並置して構成されるものが開示されている。
【先行技術文献】
【特許文献】
【００１３】
【特許文献１】特開昭６０−２４１５１９号公報
【発明の概要】
【発明が解決しようとする課題】
【００１４】
しかし、特許文献１に記載の並列組合せ軸受構造では、外輪間座が二種類の材料からなるため、その組合せに要する時間やコストが増加してしまう虞があった。
【００１５】
本発明は上記事情に鑑みてなされたものであり、簡易な構成でありながら、軸受の早期剥離損傷を防止することが可能なヒートポンプ圧縮機を提供することを目的とする。
【課題を解決するための手段】
【００１６】
本発明の上記目的は、下記の構成により達成される。
（１）  複数の軸受によって回転自在に支持された回転軸を増速機構で増速回転させて、前記回転軸に取り付けられた羽根車を増速回転させるヒートポンプ圧縮機であって、
複数の前記軸受は、前記増速機構を挟んで軸方向両側に設けられた固定側軸受及び自由側軸受を有し、
前記固定側軸受は、互いに内輪間座及び外輪間座を介して隣り合う３個のアンギュラ玉軸受を有し、
３個の前記アンギュラ玉軸受のうち、前記増速機構側に隣り合う２個は並列組合せであり、他方側に隣り合う２個は背面組合せであり、
並列組合せの２個の前記アンギュラ玉軸受の間において、前記外輪間座の軸方向幅は、前記内輪間座の軸方向幅よりも小さいことを特徴とするヒートポンプ圧縮機。
【発明の効果】
【００１７】
本発明のヒートポンプ圧縮機によれば、固定側軸受を構成する３個のアンギュラ玉軸受のうち、増速機構側に隣り合う２個は並列組合せであり、他方側に隣り合う２個は背面組合せであり、並列組合せの２個のアンギュラ玉軸受の間において、外輪間座の軸方向幅は内輪間座の軸方向幅よりも小さく設定される。すなわち、外輪間座と外輪との間には隙間が形成される。ここで、運転初期においては、並列組合せの２個のアンギュラ玉軸受のうち、増速機構側のアンギュラ玉軸受の内部隙間が大きくなるため、他方の（３個のうち真ん中の）アンギュラ玉軸受が軸方向荷重を負荷する。そして、増速機構からの入熱により、増速機構側のアンギュラ玉軸受の内輪及び外輪の温度差が大きくなるにつれて、外輪間座と外輪との間の隙間が小さくなり、真ん中のアンギュラ玉軸受から増速機構側のアンギュラ玉軸受への負荷荷重の移行が進み、バランスの取れた荷重分担となる。このように、簡易な構成でありながら、軸受内の内部荷重の増大を抑制し、早期剥離損傷を防止できる。
【図面の簡単な説明】
【００１８】
【図１】実施形態に係るヒートポンプ圧縮機の要部断面図である。
【図２】従来のヒートポンプ圧縮機の断面図である。
【発明を実施するための形態】
【００１９】
以下、本発明の実施形態に係るヒートポンプ圧縮機について、図面を用いて説明する。なお、本実施形態のヒートポンプ圧縮機は、図２に示した従来のヒートポンプ圧縮機と基本的構成が同一であるので、同一部分には同一符号を付すことで説明を省略又は簡略化し、相違部分について詳述する。
【００２０】
図１に示すように、本実施形態のヒートポンプ圧縮機１では、並列組合せの２個のアンギュラ玉軸受１１ａ，１１ｂの間において、外輪間座２０ａの軸方向幅Ｌを、内輪間座１９ａの軸方向幅Ｍよりも小さく設定している（Ｌ＜Ｍ）。これにより、内輪１５，１５と内輪間座１９ａとは互いに当接するのに対して、外輪１６，１６と外輪間座２０ａとの間には軸方向隙間が形成される。本実施形態では、増速機構７側のアンギュラ玉軸受１１ａの外輪１６と、外輪間座２０ａとの間に、軸方向隙間Ｓが形成される。
【００２１】
ここで、運転初期においては、並列組合せの２個のアンギュラ玉軸受１１ａ，１１ｂのうち、増速機構７側のアンギュラ玉軸受１１ａの内部隙間が大きくなるため、他方（３個のうち真ん中）のアンギュラ玉軸受１１ｂが、増速機構７から羽根車３に向かう方向（図２中Ａ方向）の軸方向荷重を負荷する。そして、増速機構７のギヤ７ａからの入熱により、増速機構７側のアンギュラ玉軸受１１ａの内輪１５及び外輪１６の温度差が大きくなるにつれて、外輪間座２０ａと外輪１６との間の軸方向隙間Ｓが小さくなり、真ん中のアンギュラ玉軸受１１ｂから増速機構７側のアンギュラ玉軸受１１ａへの負荷荷重の移行が進み、バランスの取れた荷重分担となる。このように、軸受内の内部荷重の増大を抑制し、早期剥離損傷を防止できる。
【００２２】
尚、本発明は、前述した実施形態に限定されるものではなく、適宜変更、改良等が可能である。
【符号の説明】
【００２３】
１  ヒートポンプ圧縮機
３  羽根車
５  回転軸
７  増速機構
７ａ  ギヤ
１０  軸受
１１  固定側軸受
１１ａ，１１ｂ，１１ｃ  アンギュラ玉軸受
１３  自由側軸受
１３ａ，１３ｂ  アンギュラ玉軸受
１５  内輪
１６  外輪
１７  玉
１８  保持器
１９  内輪間座
２０  外輪間座
２１  潤滑油孔
Ｌ  軸方向幅
Ｍ  軸方向幅
【図１】
2015151998.tif 000003
【図２】
2015151998.tif 000004